(57)【要約】本発明は、高周波連結構成部（ＫＥ）を含む高周波入力段に関するものであり、この高周波連結構成部（ＫＥ）は、アンテナインターフェース（ＡＮＴ）を、並列に接続されている高周波共振回路（ＨＲ１，ＨＲ２）の入力部に接続している。簡単な設計で切り替えなしの回路を実現するために、アンテナ信号を、異なる帯域に分割し、その際に、選択された帯域以外の帯域の影響を抑制している、ローパスフィルタを形成する唯１つのキャパシタ（Ｃ３）が、連結構成部（ＫＥ）に備えられている。高周波入力段は、例えば、３帯域ＴＶチューナーにおいて使用できる。
2004506369.tif 000002
【特許請求の範囲】
【請求項１】
入力側で相互に接続されている第１および第２の調節可能な高周波共振回路（ＨＲ１，ＨＲ２）と接続されており、入力信号を供給できる高周波連結構成部（ＫＥ）を有する高周波入力段であって、
連結構成部（ＫＥ）が、一方では第１および第２高周波共振回路（ＨＲ１，ＨＲ２）と接続されており、他方では基準電位端子（ＧＮＤ）と連結されている容量性素子（Ｃ３）を備えていることを特徴とする高周波入力段。
【請求項２】
上記高周波連結構成部（ＫＥ）が、ハイパスフィルタを備えていることを特徴とする請求項１に記載の高周波入力段。
【請求項３】
上記ハイパスフィルタが、一方ではアンテナインターフェース（ＡＮＴ）および高周波共振回路（ＨＲ１，ＨＲ２）と接続されており、他方では基準電位（ＧＮＤ）と接続されているインダクタンス（Ｌ３）を含んでいることを特徴とする請求項２に記載の高周波入力段。
【請求項４】
上記第１および第２高周波共振回路（ＨＲ１，ＨＲ２）に対して並列に接続されており、調節可能な第３高周波共振回路（ＨＲ３）が備えられていることを特徴とする請求項１ないし３のいずれかに記載の高周波入力段。
【請求項５】
上記高周波共振回路（ＨＲ１，ＨＲ２，ＨＲ３）が、それぞれにインピーダンス変換用の１つの直列インダクタンス（Ｌ４，Ｌ５，Ｌ６）を入力側に備え、該直列インダクタンス（Ｌ４，Ｌ５，Ｌ６）は、一方では連結構成部（ＫＥ）と接続されていることを特徴とする請求項１ないし４のいずれかに記載の高周波入力段。
【請求項６】
上記高周波共振回路（ＨＲ１，ＨＲ２，ＨＲ３）が、キャパシタダイオード（Ｄ１，Ｄ４，Ｄ５）およびキャパシタ（Ｃ７，Ｃ８，Ｃ９）から構成される直列回路に対して並列なインダクタンス（Ｌ７，Ｌ８，Ｌ９）をそれぞれ備えていることを特徴とする請求項１ないし５のいずれかに記載の高周波入力段。
【請求項７】
連結構成部（ＫＥ）と接続されている入力部と、増幅器（Ｔ１，Ｔ３）に連結されている、上記高周波共振回路（ＨＲ１，ＨＲ３）の出力部との間に、各１つのキャパシタ（Ｃ４，Ｃ６）が、ミラー周波数を抑制するために接続されていることを特徴とする請求項１ないし６のいずれかに記載の高周波入力段。
【請求項８】
直列インダクタンス（Ｌ５）と、増幅器（Ｔ２）に連結されている、上記高周波共振回路（ＨＲ２）の出力部との間に、帯域幅拡大用のキャパシタ（Ｃ５）が接続されていることを特徴とする請求項請求項５に記載の高周波入力段。
【請求項９】
上記連結構成部（ＫＥ）が、望ましくない中間周波数（Ｌ２，Ｃ２）を抑制するために、第１帯域遮断フィルタを備えていることを特徴とする請求項１ないし８のいずれかに記載の高周波入力段。
【請求項１０】
上記連結構成部（ＫＥ）が、第１帯域遮断フィルタ（Ｌ２，Ｃ２）の前段に接続されている第２帯域遮断フィルタ（Ｌ１，Ｃ１）を備えていることを特徴とする請求項１ないし９のいずれかに記載の高周波入力段。
【請求項１１】
上記容量性素子（Ｃ３）が、０．５ピコファラッドの容量値を有し、上記高周波入力段が、全体として４０から８７０ＭＨｚの調節領域を含んでいることを特徴とする請求項１ないし１０のいずれかに記載の高周波入力段。
【請求項１２】
上記連結構成部（ＫＥ）が、入力信号を供給するために、アンテナ（ＡＮＴ）と接続されていることを特徴とする請求項１ないし１１のいずれかに記載の高周波入力段。
【発明の詳細な説明】
本発明は、高周波連結構成部を有する高周波入力段（Ｈｏｃｈｆｒｅｑｕｅｎｚ−Ｅｉｎｇａｎｇｓｓｔｕｆｅ）に関するものである。入力信号が供給される上記高周波連結構成部は、第１および第２の調節可能な高周波共振回路（Ｈｏｃｈｆｒｅｑｕｅｎｚ−Ｒｅｓｏｎａｎｚｋｒｅｉｓ）と連結されている。これら第１および第２の調節可能な高周波共振回路は、入力側で相互に接続されている。
【０００１】
２帯域および３帯域ＴＶチューナーでは、通常、高周波入力段（前置部（Ｆｒｏｎｔｅｎｄ））に、相互に並列接続され、様々な周波数帯域用に配置されている調節可能な高周波共振回路が備えられている。
【０００２】
欧州公開特許第０２９９５７８号Ａ１（ＥＰ０２９９５７８Ａ１）という刊行物には、分類すると（ｇａｔｔｕｎｇｓｂｉｌｄｅｎｄ）、高周波数入力部切り替え回路（Ｈｏｃｈｆｒｅｑｕｅｎｚ−Ｅｉｎｇａｎｇｓｓｃｈａｌｔｋｒｅｉｓ）が記載されている。ここで、高周波連結構成部は、一方ではアンテナと、他方では、それぞれ１つの第１、第２および第３高周波共振回路と接続されている。この際、連結構成部は、１つの直列キャパシタと２つの短絡支線とを有するη断片から形成されている。
【０００３】
本発明の目的は、それぞれの帯域の相互干渉を改善でき、安いコストで製造することができる簡単な回路構造（Ｓｃｈａｌｔｕｎｇｓａｕｆｂａｕ）を備えるように、はじめに述べたような高周波入力段を改造して構成することである。
【０００４】
本目的は、本発明に基づく、はじめに述べた高周波入力段によって達成される。この際、連結構成部が、一方では、第１および第２高周波共振回路と接続されており、他方では、基準電位端子（Ｂｅｚｕｇｓｐｏｔｅｎｔｉａｌ−Ａｎｓｃｈｌｕｓｓ）と接続されている容量性素子（ｋａｐａｚｉｔａｔｉｖｅｓ Ｅｌｅｍｅｎｔ）を備えている。
【０００５】
上記高周波入力段では、個々の調節回路の間に切り替えスイッチ（Ｕｍｓｃｈａｌｔｅｒ）がなくてもよい。また、各高周波共振回路を、独自の周波数帯域用に配置できる。個々の周波数帯域は、隣接していてもよい。また、ローパスを形成する容量性素子は、高周波数帯域において、特に低い周波数帯域、および、場合によっては中間周波数帯域の望ましくない影響を効果的に抑制する。
【０００６】
例えば、アンテナに入力される高周波受信信号は、簡単な並列回路によって、様々な周波数帯域または共振回路に分割される。この際、切り替えダイオード（Ｓｃｈａｌｔｄｉｏｄｅｎ）は不要である。記載されている構造は、簡単なコストのかからない方法で実現でき、それぞれ選択されていない帯域に対する望ましくない影響の抑制については改善されている。
【０００７】
本発明の好ましい実施形態では、高周波連結構成部が、ハイパスフィルタを備えている。そして、例えば、テレビまたはラジオを受信する場合、望ましい周波数帯域（単数または複数）は、０ヘルツ近くではない。その結果、望ましい周波数帯域未満の望ましくない周波数を、ハイパスフィルタによって抑制できる。
【０００８】
本発明のさらなる好ましい実施形態では、ハイパスフィルタが、一方では、アンテナインターフェース（Ｌｕｆｔｓｃｈｎｉｔｔｓｔｅｌｌｅ）および高周波共振回路と接続されており、他方では、基準電位と接続されているインダクタンスを備えている。これにより、ハイパスフィルタを特に簡単に実現できる。
【０００９】
本発明のさらなる好ましい実施形態では、第１および第２高周波共振回路と並列に接続されている調節可能な第３高周波共振回路が備えられている。そして、調節可能な第３高周波共振回路によって、３帯域ＴＶチューナーを実現できる。このチューナは、例えば、第１周波数帯域では、４７０から９６０ＭＨｚの領域を含み、第２周波数帯域では１６０から４７０ＭＨｚの領域を含み、第３領域では、４０から１６０ＭＨｚの周波数範囲を含んでいる。
【００１０】
本発明のさらに好ましい実施形態では、高周波共振回路が、それぞれインピーダンス変換用の１つの直列インダクタンスを入力側に備えている。これら直列インダクタンスは、一方では、連結構成部とそれぞれに接続されている。インピーダンス変換は、共振回路の調節によって変更された共振回路のインピーダンスをアンテナインターフェースのインピーダンスに合わせるための変換であることが特に好ましい。
【００１１】
本発明のさらに好ましい実施形態では、高周波共振回路が、キャパシタダイオードとキャパシタとから構成される直列回路に対して並列となる、１つのインダクタンスをそれぞれに備えている。そして、この共振回路は、キャパシタダイオードがそれぞれ変更可能なキャパシタを有していることにより、共通の調節電圧を用いて調節できる。
【００１２】
本発明のさらなる好ましい実施形態では、連結構成部に接続されている入力部と、高周波共振回路の増幅器に連結されている出力部との間に、それぞれ１つのキャパシタが、ミラー周波数（Ｓｐｉｅｇｅｌｆｒｅｑｕｅｎｚｅｎ）を抑制するために接続されている。上記ミラー周波数の抑制は、例えば、共振回路における増幅された出力信号を中間周波数に変換するためのミキサーが備えられている場合に行なうことが望ましい。
【００１３】
本発明のさらなる好ましい実施形態では、直列インダクタンスと、増幅器と接続されている高周波共振回路の出力部との間に、各共振回路の帯域幅を大きくするためにキャパシタが接続されている。
【００１４】
本発明のさらに好ましい実施形態では、連結構成部が、望ましくない中間周波数を抑制するために、第１帯域遮断フィルタ（ｅｒｓｔｅｓ Ｂａｎｄｓｐｅｒｒｆｉｌｔｅｒ）を備えている。
【００１５】
本発明のさらに好ましい実施形態では、連結構成部が、さらなる望ましくない周波数を抑制するために、第２帯域遮断フィルタを備えており、この第２帯域遮断フィルタは、第１帯域遮断フィルタの前段に接続されている。例えば、第２帯域遮断フィルタは、いわゆるシチズンバンドであるＣＢの周波数領域における信号を抑制するようにように配置できる。第１および第２帯域遮断フィルタは、例えば、キャパシタに対して並列に接続されているインダクタンスによって実現でき、入力側で、例えばアンテナと接続されており、出力側で、共振回路の入力部と接続されている。この際、第１および第２帯域遮断フィルタは、相互に直列に接続されていてもよい。この際、中間周波数帯域遮断フィルタが、第２帯域遮断フィルタの後段に接続されていることが好ましい。特に、この際、帯域遮断フィルタの間に接続結線（Ｖｅｒｂｉｎｄｕｎｇｓｋｎｏｔｅｎ）が形成されてもよい。これにより、この結線に、ハイパスフィルタを接続できる。
【００１６】
本発明のさらに好ましい実施形態では、最後に、容量性素子が、０．５ピコファラッドの容量値を有し、高周波入力段は、全体として４０から８７０ＭＨｚの調節領域を含んでいる。
【００１７】
この際、第１高周波共振回路を、高周波数帯域のために配置し、第２高周波共振回路を、中間周波数帯域のために配置し、第３高周波共振回路を、低周波数帯域のために配置することができる。ローパスを形成する容量性素子は、実際に回路を実現するとき、第１高周波共振回路よりも第２高周波共振回路に、より近く配置できることが好ましく、その結果、第１高周波共振回路とよりも、第２高周波共振回路と、より短い接続となる。この際、連結構成部は、第２高周波共振回路の入力部よりも、第１高周波共振回路の入力部に、より近く接続できる。
【００１８】
本発明のさらなる詳細は、従属請求項に記載されている。
【００１９】
本発明を以下に、図を参照にした実施例を下に詳しく説明する。
【００２０】
図は、高周波入力段の例としての実施形態の接続図を示している。
【００２１】
また、図は、３帯域ＴＶチューナーを示している。この３帯域ＴＶチューナーは、アンテナＡＮＴ、このアンテナＡＮＴと接続されている連結構成部ＫＥ、および、並列に接続され、連結構成部と接続されている３つの高周波共振回路ＨＲ１、ＨＲ２およびＨＲ３を有している。増幅器として接続されているトランジスタＴ１，Ｔ２，Ｔ３が、高周波共振回路ＨＲ１、ＨＲ２、ＨＲ３の後段にそれぞれ接続されている。最後に、そのように増幅された信号が、ミキサー段Ｍ１，Ｍ２，Ｍ３において、高周波数信号から中間周波数信号に減少混合（ｈｅｒｕｎｔｅｒｇｅｍｉｓｃｈｔ）される。
【００２２】
詳しくは、連結構成部ＫＥは、アンテナＡＮＴと接続されている第２帯域遮断フィルタＬ１、Ｃ１を備えている。この第２帯域遮断フィルタは、並列に接続されたインダクタンスＬ１を有するキャパシタＣ１から構成されており、望ましくないＣＢ周波数を抑制するのに役立つ。また、ハイパスフィルタとして作用し、アースＧＮＤの反対側に接続されているインダクタンスＬ３が、第２帯域遮断フィルタＬ１、Ｃ１の後段に接続されている。さらなる信号の流れる方向（Ｓｉｇｎａｌｖｅｒｌａｕｆ）に、第１帯域遮断フィルタＬ２、Ｃ２が備えられている。この第１帯域遮断フィルタは、並列に接続されたインダクタンスＬ２を有するキャパシタＣ２を含み、望ましくない中間周波数を抑制するのに役立つ。最後に、連結構成部ＫＥは、第１帯域遮断フィルタＬ２、Ｃ２と、連結構成部ＫＥの後段に接続されている高周波共振回路ＨＲ１，ＨＲ２，ＨＲ３の入力部に接続されているローパスを形成している容量性素子Ｃ３とを備えている。そして、この容量性素子Ｃ３は、一方の端で基準電位端子ＧＮＤと接続されている。
【００２３】
上記高周波共振回路ＨＲ１，ＨＲ２，ＨＲ３は、特定のＴＶ周波数帯域にそれぞれ割り当てられている。この際、第１高周波共振回路ＨＲ１が、ＵＨＦ（極超短波）帯域のために配置されており、第２高周波共振回路ＨＲ２が、高ＶＨＦ（超短波）周波数帯域のために配置されており、第３高周波共振回路ＨＲ３が、低いＶＨＦ周波数帯域のために配置されている。
【００２４】
また、高周波共振回路ＨＲ１，ＨＲ２，ＨＲ３は、直列インダクタンスとして接続されており、インピーダンス変換に役立つインダクタンスＬ４，Ｌ５，Ｌ６を、それぞれ入力側に備えている。実際の共振回路は、アースの反対側にそれぞれ１つの後段に接続されたインダクタンスＬ７，Ｌ８，Ｌ９と、これに対して並列に接続されており、調節可能なキャパシタダイオードＤ１，Ｄ４、Ｄ５およびキャパシタＣ７，Ｃ８，Ｃ９を備えている直列回路とによって形成される。そして、高周波共振回路ＨＲ１，ＨＲ２，ＨＲ３の共振周波数は、それぞれ共通の調節電圧ＶＴによって調節できる。また、この高周波共振回路ＨＲ１，ＨＲ２，ＨＲ３は、それぞれ抵抗器Ｒ２，Ｒ５，Ｒ６を介して、キャパシタダイオードＤ１，Ｄ４，Ｄ５に接続されている。ここで、より低い周波数に適している調節回路ＨＲ２，ＨＲ３では、キャパシタダイオードとして形成されている直列キャパシタＤ２，Ｄ３をさらに備えることが可能である。さらに、より低いＶＨＦ周波数帯に適している第３調節回路ＨＲ３では、インダクタンスＬ９に対して直列に、抵抗Ｒ１を備えている。また、ミラー周波数を抑制するために、第１および第３高周波共振回路ＨＲ１、ＨＲ３は、それぞれキャパシタＣ４，Ｃ６を備えている。このキャパシタは、インダクタンスＬ４，Ｌ６およびキャパシタダイオードＤ１，Ｄ３から構成される直列回路に対して並列に接続されている。また、第２高周波共振回路ＨＲ２は、キャパシタＣ５を備えており、このキャパシタは、帯域幅もしくは第２高周波共振回路ＨＲ２の調節領域を拡大するために、ダイオードＤ２に対して並列に接続されている。また、調節電圧ＶＴの供給のために、ＲＣ部Ｒ７，Ｃ１５が備えられている。さらに、３つの帯域における３つのさらなる信号経路では、高周波共振回路ＨＲ１，ＨＲ２，ＨＲ３の後段に、連結キャパシタＣ１２，Ｃ１３、Ｃ１４がそれぞれ接続されている。これらキャパシタは、一方では、高周波共振回路ＨＲ１，ＨＲ２，ＨＲ３と接続されており、他方では、電解効果トランジスタＴ１，Ｔ２，Ｔ３のゲート端子と接続されている。また、二重ゲートトランジスタ（Ｄｕａｌ−Ｇａｔｅ−Ｔｒａｎｓｉｓｔｏｒｅｎ）Ｔ１，Ｔ２，Ｔ３は、第２ゲート端子を備えており、共通の抵抗器Ｒ１１、および、それぞれ１つの抵抗器Ｒ８，Ｒ９，Ｒ１０を介して、この第２ゲート端子にＡＧＣ（自動利得制御）信号を供給できる。この際、トランジスタＴ１，Ｔ２，Ｔ３は、帯域選択と同時に引き込まれる（ｈｅｒａｎｚｉｅｈｅｎ）。また、上記抵抗Ｒ８，Ｒ９，Ｒ１０、Ｒ１１には、一方の端に分離キャパシタ（Ｅｎｔｋｏｐｐｌｕｎｇｓｋａｐａｚｉｔａｅｔ）Ｃ１６，Ｃ１７，Ｃ１８，Ｃ１９が、アースとは反対側に接続されている。トランジスタＴ１，Ｔ２，Ｔ３のソース端子は、基準電位端子ＧＮＤと接続されている。そして、供給電圧Ｖ１，Ｖ２，Ｖ３は、それぞれに、それぞれ１つのインダクタンスＬ１１，Ｌ１２，Ｌ１３を介し、アースの反対側に接続されているキャパシタＣ２１，Ｃ２２，Ｃ２３を用いて分離され、トランジスタＴ１，Ｔ２，Ｔ３のドレイン端子に供給され得る。さらに、トランジスタＴ１，Ｔ２，Ｔ３のドレイン端子には、調節電圧ＶＴによって調節可能な各１つの帯域パスフィルタＢＰ１，ＢＰ２，ＢＰ３、および、出力側に接続されている各１つのミキサーＭ１，Ｍ２，Ｍ３が接続されている。上記ミキサーＭ１，Ｍ２，Ｍ３は、増幅された入力信号を、中間周波数信号に変換するために役立つ。さらに、各局部発振器ＬＯ１，ＬＯ２，ＬＯ３が備えられている。この局部発振器は、一定の（ｆｅｓｔｅｒ）周波数の中間周波数信号を、ミキサー出力部に発生できるように、位相調整ループ（Ｐｈａｓｅｎｒｅｇｅｌｓｃｈｌｅｉｆｅ）ＰＬＬと連動して、高周波共振回路ＨＲ１，ＨＲ２，ＨＲ３の調節周波数に応じた周波数を提供する。
【００２５】
また、ミキサー出力部は、帯域パスフィルタＢＰ４の入力部において相互に接続されており、帯域パスフィルタＢＰ４の出力部では、フィルタリングされた中間周波数信号を発生できる。
【００２６】
また、キャパシタＣ３により、中間および低周波数帯域の影響を、高いＵＨＦ周波数帯域において特に効果的に抑制できる。全体として、記載の回路配列では、周波数帯の選択又は操作の際において、各他の周波数帯域の望ましくない干渉の影響が効果的に抑制される。さらに、図に基づく３帯域ＴＶチューナーは、個々の帯域の間を切替えるために、切り替えダイオードを必要としない。また、記載の入力段は、簡単であり、小さなチップ所要面積ですみ、複雑ではない（ｇｅｒｉｎｇｅｍ Ａｕｆｗａｎｄ）、コストをかけずに製造できる回路を備えている。このように、付加的なキャパシタＣ３のみで、共振回路からミキサーまでの個々の帯域用の信号経路の簡単な並列接続が可能になる。この際、キャパシタＣ３は、ローパスフィルタとして作用する。
【００２７】
上記の接続原理（Ｓｃｈａｌｔｕｎｇｓｐｒｉｎｚｉｐ）は、テレビチューナまたはビデオ装置チューナにおける使用に制限されず、使用目的に応じて他の高周波使用にも適用できる。
【図面の簡単な説明】
高周波入力段の例としての実施形態の接続図である。
【国際公開パンフレット】
2004506369.tif 000003
2004506369.tif 000004
2004506369.tif 000005
2004506369.tif 000006
2004506369.tif 000007
2004506369.tif 000008
2004506369.tif 000009
2004506369.tif 000010
2004506369.tif 000011
2004506369.tif 000012
2004506369.tif 000013
2004506369.tif 000014
2004506369.tif 000015
2004506369.tif 000016
【国際調査報告】
2004506369.tif 000017
2004506369.tif 000018
2004506369.tif 000019
2004506369.tif 000020
2004506369.tif 000021
2004506369.tif 000022